(57)【要約】【課題】媒体の端部における異物が原因で媒体の搬送精度が低下することを簡単に抑制する。【解決手段】媒体Ｐを搬送方向Ａに搬送する搬送部７と、搬送方向Ａと交差する幅方向における媒体Ｐの端部Ｐｅｎｄの位置をガイドするエッジガイド１０と、エッジガイド１０に設けられ、媒体Ｐの端部Ｐｅｎｄにおける異物を回収する異物回収部１３と、を備える媒体搬送装置２。このような構成の媒体搬送装置２とすることで、媒体Ｐの端部Ｐｅｎｄにおける異物が原因で媒体Ｐの搬送精度が低下することを簡単に抑制することが可能になる。【選択図】図３
2018034985.tif 000002
【特許請求の範囲】
【請求項１】
媒体を搬送方向に搬送する搬送部と、
前記搬送方向と交差する幅方向における前記媒体の端部の位置をガイドするエッジガイドと、
前記エッジガイドに設けられ、前記媒体の端部における異物を回収する異物回収部と、
を備えることを特徴とする媒体搬送装置。
【請求項２】
請求項１に記載の媒体搬送装置において、
前記異物回収部は、前記エッジガイドに対して脱着可能であることを特徴とする媒体搬送装置。
【請求項３】
請求項２に記載の媒体搬送装置において、
前記異物回収部と前記エッジガイドとの接続部は、該異物回収部及び該エッジガイドの一方に設けられ外側に突出する凸部と、該一方に設けられ該凸部を内側に押圧可能な押圧部と、該異物回収部及び該エッジガイドの他方に設けられ該凸部と嵌合する凹部と、を有することを特徴とする媒体搬送装置。
【請求項４】
請求項２又は３に記載の媒体搬送装置において、
前記異物回収部は、前記エッジガイドに対する脱着方向を回転軸方向として回動可能なカバー部を有することを特徴とする媒体搬送装置。
【請求項５】
請求項４に記載の媒体搬送装置において、
前記カバー部の回動をロックするロック機構を備え、
前記ロック機構は、前記異物回収部が前記エッジガイドに対して接続された状態ではロック状態となり、前記異物回収部が前記エッジガイドに対して外された状態ではロック解除状態となるよう構成されていることを特徴とする媒体搬送装置。
【請求項６】
請求項１から５のいずれか１項に記載の媒体搬送装置において、
前記搬送部として、前記搬送方向に沿って複数の搬送ローラーを有し、
前記エッジガイドは、前記複数の搬送ローラーの何れのものよりも前記搬送方向における上流側に設けられることを特徴とする媒体搬送装置。
【請求項７】
請求項１から６のいずれか１項に記載の媒体搬送装置と、
前記媒体搬送装置により搬送される前記媒体に記録する記録部と、
を備えることを特徴とする記録装置。
【発明の詳細な説明】
【技術分野】
【０００１】
本発明は、媒体搬送装置及び記録装置に関する。
【背景技術】
【０００２】
従来から、様々な媒体搬送装置が使用されている。このような媒体搬送装置においては、紙粉など媒体における異物が原因で媒体の搬送精度が低下する場合がある。そこで、媒体における異物が原因で媒体の搬送精度が低下することを抑制する技術が開示されている。  
例えば、特許文献１には、媒体における異物（用紙に付着した付着物）を除去可能な第１除去部及び第２除去部を備えた媒体搬送装置としての液体噴射装置（記録装置）が開示されている。
【先行技術文献】
【特許文献】
【０００３】
【特許文献１】特開２０１４−７３５９９号公報
【発明の概要】
【発明が解決しようとする課題】
【０００４】
特許文献１に開示される液体噴射装置を使用することで媒体における異物を効果的に除去することができる。  
一方、近年、媒体搬送装置は製品寿命を長くすることが望まれている。製品寿命を長くするためには、媒体における異物を除去する手段を簡単に交換又は清掃できることが必要である。  
しかしながら、特許文献１に開示される液体噴射装置のような従来の媒体搬送装置においては、媒体における異物を除去する手段を交換又は清掃するのに手間がかかっていた。  
また、例えば、紙粉や毛羽など媒体における異物は、媒体のカット部分に相当する端部に特に集中しやすい傾向にある。このため、媒体の端部における異物が媒体の搬送精度の低下の原因となりやすい。
【０００５】
そこで、本発明は、媒体の端部における異物が原因で媒体の搬送精度が低下することを簡単に抑制することを目的にする。
【課題を解決するための手段】
【０００６】
上記課題を解決するための本発明の第１の態様の媒体搬送装置は、媒体を搬送方向に搬送する搬送部と、前記搬送方向と交差する幅方向における前記媒体の端部の位置をガイドするエッジガイドと、前記エッジガイドに設けられ、前記媒体の端部における異物を回収する異物回収部と、を備えることを特徴とする。
【０００７】
本態様によれば、異物を回収する異物回収部をエッジガイドに備えている。エッジガイドは、媒体の幅に合わせてユーザーが移動させるものでありアクセスしやすい位置に設けられるものであり、媒体の端部に相当する位置に設けられるものである。このため、エッジガイドに異物回収部を設けることで、媒体の端部に異物回収部を正確に位置合わせでき、且つ、アクセスしやすい位置に設けられる異物回収部を簡単に清掃及び交換することができる。したがって、媒体の端部における異物が原因で媒体の搬送精度が低下することを簡単に抑制することができる。
【０００８】
本発明の第２の態様の媒体搬送装置は、前記第１の態様において、前記異物回収部は、前記エッジガイドに対して脱着可能であることを特徴とする。
【０００９】
本態様によれば、異物回収部はエッジガイドに対して脱着可能である。このため、特に簡単に異物回収部を清掃及び交換することができる。したがって、媒体の端部における異物が原因で媒体の搬送精度が低下することを特に簡単に抑制することができる。
【００１０】
本発明の第３の態様の媒体搬送装置は、前記第２の態様において、前記異物回収部と前記エッジガイドとの接続部は、該異物回収部及び該エッジガイドの一方に設けられ外側に突出する凸部と、該一方に設けられ該凸部を内側に押圧可能な押圧部と、該異物回収部及び該エッジガイドの他方に設けられ該凸部と嵌合する凹部と、を有することを特徴とする。
【００１１】
本態様によれば、異物回収部とエッジガイドとの接続部は、該異物回収部及び該エッジガイドの一方に設けられる凸部及び押圧部と、該異物回収部及び該エッジガイドの他方に設けられる凹部と、を有する。このため、例えば片手で押圧部を押しながら凸部と凹部とを嵌めたり外したりすることで、簡単にエッジガイドに対して異物回収部を脱着させることができる。
【００１２】
本発明の第４の態様の媒体搬送装置は、前記第２又は第３の態様において、前記異物回収部は、前記エッジガイドに対する脱着方向を回転軸方向として回動可能なカバー部を有することを特徴とする。
【００１３】
本態様によれば、異物回収部はエッジガイドに対する脱着方向を回転軸方向として回動可能なカバー部を有する。このように、異物回収部のエッジガイドに対する脱着方向とカバー部の回転軸方向とをそろえることで、異物回収部をエッジガイドに対して脱着させる際に、不意にカバー部を掴むなどして不意にカバー部が開いて該異物回収部に収容された異物がこぼれるということを抑制できる。
【００１４】
本発明の第５の態様の媒体搬送装置は、前記第４の態様において、前記カバー部の回動をロックするロック機構を備え、前記ロック機構は、前記異物回収部が前記エッジガイドに対して接続された状態ではロック状態となり、前記異物回収部が前記エッジガイドに対して外された状態ではロック解除状態となるよう構成されていることを特徴とする。
【００１５】
本態様によれば、ロック機構は、異物回収部がエッジガイドに対して接続された状態ではロック状態となり、異物回収部がエッジガイドに対して外された状態ではロック解除状態となる。このため、異物回収部がエッジガイドに対して接続された状態においてカバー部が不意に開くことを抑制でき、異物回収部に回収された異物がこぼれることなどを抑制できる。
【００１６】
本発明の第６の態様の媒体搬送装置は、前記第１から第５のいずれか１つの態様において、前記搬送部として、前記搬送方向に沿って複数の搬送ローラーを有し、前記エッジガイドは、前記複数の搬送ローラーの何れのものよりも前記搬送方向における上流側に設けられることを特徴とする。
【００１７】
本態様によれば、搬送部として搬送方向に沿って複数の搬送ローラーを有し、エッジガイドは何れの搬送ローラーよりも搬送方向における上流側に設けられる。このため、異物を除去された状態で何れの搬送ローラーも媒体と接触することとなり、何れの搬送ローラーにも異物が付着することが抑制される。したがって、媒体の端部における異物が原因で媒体の搬送精度が低下することを特に効果的に抑制できる。
【００１８】
本発明の第７の態様の記録装置は、前記第１から第８のいずれか１つの態様の媒体搬送装置と、前記媒体搬送装置により搬送される前記媒体に記録する記録部と、を備えることを特徴とする。
【００１９】
本態様によれば、媒体の端部における異物が原因で媒体の搬送精度が低下することを簡単に抑制して媒体に記録することができる。
【図面の簡単な説明】
【００２０】
【図１】本発明の一実施例に係る記録装置の概略側面断面図。
【図２】本発明の一実施例に係る記録装置の要部の概略側面断面図。
【図３】本発明の一実施例に係る記録装置の要部の概略斜視図。
【図４】本発明の一実施例に係る記録装置の要部の概略斜視図。
【図５】本発明の一実施例に係る記録装置の要部の概略斜視図。
【図６】本発明の一実施例に係る記録装置の要部の概略斜視図。
【発明を実施するための形態】
【００２１】
以下に、本発明の実施例１に係る媒体搬送装置２を有する記録装置１について、添付図面を参照して詳細に説明する。  
最初に、本実施例の記録装置１の概要について説明する。  
図１は本実施例の記録装置１の概略側面断面図である。
【００２２】
本実施例の記録装置１は、回転方向Ｃに回転可能な回転軸４にロール状の媒体Ｐをセットして、該媒体Ｐを搬送方向Ａに搬送させることが可能な媒体搬送装置２を有している。また、媒体Ｐの搬送経路には、媒体Ｐの搬送をガイドするエッジガイド１０、回転軸４とともに媒体Ｐを搬送方向Ａに搬送する搬送部７を構成する搬送ローラー５及び６などの複数の搬送ローラー、搬送される媒体Ｐに記録する記録部としての記録ヘッド３などが設けられている。
【００２３】
ここで、記録ヘッド３は、キャリッジ８に設けられ、媒体Ｐの搬送方向Ａと交差する走査方向Ｂに往復移動しながら搬送される媒体Ｐに不図示のノズルからインクを吐出して記録することが可能な構成である。このような構成の搬送部７と記録ヘッド３とを備えることで、本実施例の記録装置１は、所定量（１パス分）媒体Ｐを搬送方向Ａに搬送させることと、媒体Ｐを停止した状態で記録ヘッド３を走査方向Ｂに移動させながらインクを吐出させることと、を繰り返すことで、媒体Ｐに所望の画像を形成可能である。なお、本実施例の記録装置１は、媒体Ｐの搬送と記録ヘッド３の走査とを交互に繰り返して記録を行う所謂シリアルプリンターであるが、媒体Ｐの幅方向に沿ってライン状にノズルが形成されたラインヘッドを使用して連続的に媒体Ｐを搬送しながら連続的に記録を行う所謂ラインプリンターであってもよい。さらには、例えば、転写式プリンターなど、インクジェットプリンター以外の記録装置であってもよい。
【００２４】
なお、本実施例の記録装置１は、様々な幅のロール状の媒体Ｐを使用可能であり、ユーザーがエッジガイド形成部９に設けられたエッジガイド１０を走査方向Ｂと沿う方向に移動させて、搬送方向Ａと交差する幅方向における媒体Ｐの端部Ｐｅｎｄ（図３参照）の位置をガイドすることが可能である。
【００２５】
次に、本実施例の記録装置１（媒体搬送装置２）の要部であるエッジガイド形成部９について説明する。  
図２は本実施例の記録装置１の要部であるエッジガイド形成部９の概略側面断面図であり、図３は本実施例の記録装置１の要部であるエッジガイド形成部９の概略斜視図である。
【００２６】
図２及び図３で表されるように、本実施例のエッジガイド１０は、媒体Ｐの両側の端部Ｐｅｎｄに対応して２つ、媒体Ｐの搬送経路中の媒体Ｐの支持部２２に対して走査方向Ｂに沿って自在に移動可能に、設けられている。そして、これらのエッジガイド１０は、後述する異物回収部１３を含めて搬送方向Ａを基準にして左右対称の形状をしている。
【００２７】
エッジガイド１０には、異物回収部１３を脱着可能である。なお、図２及び図３は、何れも、エッジガイド１０に異物回収部１３を取り付けた状態を表している。異物回収部１３は、穴部２０を介して媒体Ｐの端部Ｐｅｎｄから回収した異物を収容室２１に収容する異物収容部１２と、該異物収容部１２の上部に被せられるカバー部１１と、で構成されている。また、異物収容部１２及びカバー部１１の両方における媒体Ｐの端部Ｐｅｎｄと接触する部分には、異物を回収するためのフェルトＦ（フェルトＦ１及びＦ２）が取り付けられている（図６参照）。そして、異物収容部１２に取り付けられたフェルトＦ１とカバー部１１に取り付けられたフェルトＦ２とで媒体Ｐの端部Ｐｅｎｄを挟み、その状態で媒体Ｐを搬送させることにより、媒体Ｐの端部Ｐｅｎｄにおける異物を回収する。なお、異物収容部１２のフェルトＦ１とカバー部１１のフェルトＦ２とで挟まれることにより回収された異物は、新たな異物が次々と回収されることに伴い、新たに回収された異物に押されて先に回収されていた異物が次々と穴部２０に落ちていくことで収容室２１に収容される。
【００２８】
すなわち、本実施例の媒体搬送装置２は、媒体Ｐを搬送方向Ａに搬送する搬送部７と、搬送方向Ａと交差する幅方向における媒体Ｐの端部Ｐｅｎｄの位置を規制することで媒体Ｐの搬送をガイドするエッジガイド１０と、エッジガイド１０に設けられ、媒体Ｐの端部Ｐｅｎｄにおける異物を回収する異物回収部１３と、を備えていると表現できる。  
本実施例の媒体搬送装置２は、エッジガイド１０に異物回収部１３を設けていることで媒体Ｐの端部Ｐｅｎｄに異物回収部１３を正確に位置合わせでき、且つ、ユーザーがアクセスしやすい位置であるエッジガイド１０の形成位置に設けられる異物回収部１３を簡単に清掃及び交換することができる。したがって、本実施例の媒体搬送装置２は、媒体Ｐの端部Ｐｅｎｄにおける異物が原因で媒体Ｐの搬送精度が低下することを簡単に抑制することができる。
【００２９】
別の表現をすると、本実施例の記録装置１は、このような構成の媒体搬送装置２と、該媒体搬送装置２により搬送される媒体Ｐに記録する記録ヘッド３と、を備えている。このため、媒体Ｐの端部Ｐｅｎｄにおける異物が原因で媒体Ｐの搬送精度が低下することを簡単に抑制して媒体Ｐに記録することができる。
【００３０】
また、その構成についての詳細は後述するが、本実施例の異物回収部１３は、エッジガイド１０に対して脱着可能である。このため、特に簡単に異物回収部１３を清掃及び交換することができる。具体的には、異物収容部１２に取り付けられたフェルトＦ１の清掃及び交換、カバー部１１に取り付けられたフェルトＦ２の清掃及び交換、収容室２１に収容された異物の廃棄をユーザーは簡単に実行できる。したがって、本実施例の媒体搬送装置２は、媒体Ｐの端部Ｐｅｎｄにおける異物が原因で媒体Ｐの搬送精度が低下することを特に簡単に抑制することができる構成になっている。
【００３１】
なお、図１で表されるように、本実施例の媒体搬送装置２は、搬送部７として搬送方向Ａに沿って搬送ローラー５及び６などの複数の搬送ローラーを有しているが、エッジガイド形成部９（エッジガイド１０）は搬送ローラー５及び６などの複数の搬送ローラーのうちの何れのものよりも搬送方向Ａにおける上流側に設けられている。このため、異物を除去された状態で何れの搬送ローラーも媒体Ｐと接触することとなり、搬送ローラー５及び６などの何れの搬送ローラーにも異物が付着することが抑制される。したがって、本実施例の媒体搬送装置２は、媒体Ｐの端部Ｐｅｎｄにおける異物が原因で媒体Ｐの搬送精度が低下することを特に効果的に抑制できる構成になっている。
【００３２】
次に、本実施例の記録装置１（媒体搬送装置２）の要部である異物回収部１３についてさらに詳細に説明する。  
図４から図６は、何れも本実施例の記録装置１（媒体搬送装置２）の要部である異物回収部１３の概略斜視図である。このうち、図４はエッジガイド１０に異物回収部１３を取り付けた状態、図５はエッジガイド１０から異物回収部１３を取り外した状態、図６はエッジガイド１０から取り外された異物回収部１３において異物収容部１２に対してカバー部１１を開いた状態、を表している。
【００３３】
図４及び図５で表されるように、本実施例の異物回収部１３はエッジガイド１０に対して搬送方向Ａに沿って脱着可能である。  
詳細には、本実施例の媒体搬送装置２における異物回収部１３とエッジガイド１０との接続部２３は、該異物回収部１３及び該エッジガイド１０の一方である異物回収部１３に設けられ外側に突出する凸部１８と、該一方である異物回収部１３に設けられ該凸部１８を内側（Ｘ方向）に押圧可能な押圧部１７と、該異物回収部１３及び該エッジガイド１０の他方であるエッジガイド１０に設けられ該凸部１８と嵌合する凹部１９と、を有している。このため、押圧部１７をＸ方向に押しながら凸部１８と凹部１９とを嵌めたり外したりすることで、片手でも簡単にエッジガイド１０に対して異物回収部１３を脱着させることができる。  
なお、上記のように本実施例の接続部２３は、異物回収部１３に凸部１８と押圧部１７とが設けられエッジガイド１０に凹部１９が設けられる構成であるが、異物回収部１３に凹部１９が設けられエッジガイド１０に凸部１８と押圧部１７とが設けられる構成であってもよい。ただし、本実施例の接続部２３の構成の方がより簡単にエッジガイド１０に対して異物回収部１３を脱着させることができるので特に好ましい。
【００３４】
また、図６で表されるように、本実施例の媒体搬送装置２の異物回収部１３は、エッジガイド１０に対する脱着方向（搬送方向Ａに沿う方向）を回転軸１６の回転軸方向Ｙとして回転方向Ｄに回動可能なカバー部１１を有している。このように、異物回収部１３のエッジガイド１０に対する脱着方向とカバー部１１の回転方向とを異ならせることで、異物回収部１３をエッジガイド１０に対して脱着させる際に、不意にカバー部１１を掴むなどして不意にカバー部１１が開いて該異物回収部１３に収容された異物（収容室２１に回収された異物）がこぼれるということを抑制している。
【００３５】
また、図４及び図５で表されるように、エッジガイド１０には、エッジガイド１０に異物回収部１３を取り付けた状態においてカバー部１１の上面部１５を上から押さえることが可能な押さえ部１４が設けられている。すなわち、押さえ部１４と上面部１５とでカバー部１１の回動をロックするロック機構２４を構成している。  
別の表現をすると、本実施例の媒体搬送装置２は、カバー部１１の回動をロックするロック機構２４を備え、ロック機構２４は、異物回収部１３がエッジガイド１０に対して接続された状態ではロック状態（上面部１５が押さえ部１４に押さえられる状態）となり、異物回収部１３がエッジガイド１０に対して外された状態ではロック解除状態（上面部１５が押さえ部１４に押さえられない状態）となるよう構成されている。  
このため、異物回収部１３がエッジガイド１０に対して接続された状態においてカバー部１１が不意に開くことを抑制し、異物回収部１３に回収された異物がこぼれることを抑制しているとともに、異物回収時において異物収容部１２のフェルトＦ１とカバー部１１のフェルトＦ２とで媒体Ｐの端部Ｐｅｎｄを確りと挟み異物を確りと回収できるようにしている。なお、ロック機構２４の構成に特に限定は無く、本実施例の構成とは異なる構成であってもよいことは言うまでもない。
【００３６】
なお、本発明は上記実施例に限定されることなく、特許請求の範囲に記載した発明の範囲内で種々の変形が可能であり、それらも本発明の範囲内に含まれることは言うまでもない。
【符号の説明】
【００３７】
１…記録装置、２…媒体搬送装置、３…記録ヘッド（記録部）、
４…回転軸、５…搬送ローラー、６…搬送ローラー、７…搬送部、８…キャリッジ、
９…エッジガイド形成部、１０…エッジガイド、１１…カバー部、１２…異物収容部、
１３…異物回収部、１４…押さえ部、１５…上面部、１６…回転軸、１７…押圧部、
１８…凸部、１９…凹部、２０…穴部、２１…収容室、２２…支持部、２３…接続部、
２４…ロック機構、Ｆ…フェルト、Ｆ１…異物収容部１２のフェルト、
Ｆ２…カバー部１１のフェルト、Ｐ…媒体、Ｐｅｎｄ…媒体Ｐの幅方向の端部
【図１】
2018034985.tif 000003
【図２】
2018034985.tif 000004
【図３】
2018034985.tif 000005
【図４】
2018034985.tif 000006
【図５】
2018034985.tif 000007
【図６】
2018034985.tif 000008